(57)【要約】【課題】ノイズキャンセル機能と録音機能を1つの機器に共存させようとした場合、それぞれの機能用に各1つずつマイクが必要となり、計2つのマイクが必要となる。また、スピーカー近傍に録音用マイクのある環境で再生/録音を同時に行おうとすると録音したい音に再生音がノイズとして乗ってしまう。そのため、録音時には再生音楽をOFFする必要がある。【解決手段】ノイズキャンセル用マイクと録音用マイクを共用することにより、通常2つ必要となるマイクを1つで共用する。さらに、録音時には再生音を逆位相に変換し録音マイクからの出力と足し合わせることによって、近傍のスピーカーから録音マイクに乗ってくる再生音を相殺する。これにより、再生音楽をOFFしなくてもスピーカーからのノイズを気にせず周囲の音を録音することができる。【選択図】図１
2009253496.tif 000002
【特許請求の範囲】
【請求項１】
外部の音を集音するマイクと信号を出力するスピーカを有するインナーホンを有し、前記マイクで収集した周囲の音を低減するノイズキャンセル機能と周囲の音を録音する機能を持つ再生録音装置であって、
前記マイクから出力された信号を反転する第1の反転手段と、
音データを格納するメモリと、
前記メモリに格納された音データを再生する再生手段と、
前記マイクから出力された信号を前記メモリに記録する録音手段と、
前記再生手段で音データを再生する再生状態と前記録音手段で信号を記録する録音状態を切り替える切替手段と、
前記第１の反転手段で反転された信号と前記再生手段で出力された信号を加算する第1の加算手段と、
前記再生手段で出力された信号を反転する第2の反転手段と、
前記第2の反転手段で反転された信号と前記マイクの出力を加算する第2の加算手段とを備え、
前記切替手段は、再生状態の時には前記第1の加算手段でノイズキャンセル機能を実現し、録音状態の時には再生状態をそのまま維持し、前記第2の加算手段で前記再生手段による再生音を相殺し、前記マイクの出力を前記録音手段で記録するように構成したことを特徴とする再生録音装置。
【発明の詳細な説明】
【技術分野】
【０００１】
本発明は、再生時、周囲の音を集音し逆位相の信号に変換し、スピーカからの音声と足し合わせて周囲の騒音を低減させるノイズキャンセル再生機能と、録音時、音源からの音楽を逆位相に変換し、周囲の音と合成することによって騒音を低減させるノイズキャンセル録音機能を有するオーディオ機器などの電気製品に関するものである。
【背景技術】
【０００２】
従来、ノイズキャンセル機能を有するオーディオ機器としては、音楽再生時に外部の音を取り込み、逆位相に変換し、スピーカからの出力音源と足し合わせて周囲の騒音を低減させるものが知られている。
【０００３】
図３は従来の録音再生装置を示す。従来の録音再生装置はスピーカ３０４からマイク３０３までの電気音響特性と等価な等価回路３０１と、スピーカ３０４の出力音が集音されたマイク３０３の出力信号から等価回路３０１の出力信号を減算する除去回路３０２と、除去回路３０２の出力信号と録音出力された該信号とをミキシングするミキシング回路３０５とを設けている。この構成によりスピーカ３０４からマイク３０３までの音響特性を備える等価回路３０１に信号Tを入力すると信号Tのスピーカ音によるマイク出力と等価な信号が得られ、マイク出力信号より等価回路３０１の出力信号を除去回路３０２により減算すれば、音声Vのみとなり、スピーカ音を排除したミキシングができる。
【特許文献１】特開２０００−５９７８６号公報
【特許文献２】特開平１−３００４７２号公報
【発明の開示】
【発明が解決しようとする課題】
【０００４】
しかしながら、従来の録音再生装置では、録音用マイクがスピーカの近傍にある場合、音楽再生と外部音録音を同時に行おうとするとスピーカからの音楽が録音用マイクの出力に含まれてしまい、録音時のノイズとなってしまう。そのため、外部音録音を行う際には音楽再生をＯＦＦしなければならないという課題があった。また、ノイズキャンセル機能と録音機能を１つの機器で使用する場合、ノイズキャンセル用マイクと外部音録音用マイクの２つが必要であった。
【０００５】
本発明は上記の課題を解決するもので、録音時におけるスピーカからのノイズを低減し、再生音源のＯＮ／ＯＦＦを行うことなく両機能を同時に使用することを可能とするものである。
【０００６】
また、ノイズキャンセル機能に使用するマイクと録音に使用するマイクを共用することにより、マイクの数を増やすことなく上記機能を実現することを可能とする。
【課題を解決するための手段】
【０００７】
本発明の請求項１に記載の発明は、周囲の音を低減するノイズキャンセル機能を録音時／再生時に使用することを可能とした録音再生装置であり、本構成によって、再生録音切替スイッチ回路がOFFされている場合にはマイクから集音された外部音を逆相変換回路により逆位相に変換し、再生回路により再生された音源と足し合わせ、スピーカユニットから出力し、外部音からの雑音を低減し音源を再生できるという作用を有する。さらに、前記スイッチ回路がONされている場合には再生回路により再生された音源を逆相変換回路によって逆相に変換し、マイクから集音した音と足し合わせ、マイクの近傍にあるスピーカユニットからの雑音を低減し、再生回路による音源再生状態を維持したまま外部音を録音できるという作用を有する。
【発明の効果】
【０００８】
本発明の録音再生装置によれば、スイッチ１つで録音と再生の切替を行うことができ、音楽再生状態から外部音録音状態に切り換える際、音楽再生のON／OFFを行う必要がない。また、従来技術では２個必要であるマイクを１つで共用することができ、コストを低減することができる。
【発明を実施するための最良の形態】
【０００９】
以下、本発明のノイズキャンセル機能を有する録音再生装置を実施するための最良の形態について、図１を用いて詳細に説明する。
【００１０】
（実施の形態１）
図１は、本発明の実施の形態１における録音再生装置を示す。外部音を集音するためのマイク１０１、マイク１０１の近傍に配置されたスピーカユニット１０２、マイク１０１から集音した外部音の位相を反転させる第１の位相反転回路１０３、位相反転回路１０３により位相が反転した外部音と音源からの音楽を合成する第１の合成回路１０４、音源からの音楽の位相を反転させる第２の位相反転回路１０５、位相反転回路１０５により位相が反転した音楽とマイク１０１により集音した外部音と合成する第２の合成回路１０６、合成回路１０６により合成された音を録音するための録音回路１０７、音源からの音楽を再生するための再生回路１０８、録音／再生機能を切り換えるためのスイッチ回路１０９を設ける。
【００１１】
かかる構成により、図１において、再生機能が使用される場合、スイッチ回路１０９はOFFされる。このとき、マイク１０１により集音された外部音信号Vは第１の位相反転回路１０３により位相が反転され、信号V’に変換される。この信号V’は第１の合成回路１０４によって、再生回路１０８により再生された音声信号Tと合成され、第１の合成回路１０４からは信号T+V’が出力される。合成回路１０４からの出力信号T＋V’はスピーカユニット１０２から出力される際、外部音信号Vと合成され、人間の耳には外部音信号が除去された信号Tのみが伝達される。
【００１２】
また、図１において録音機能が使用される場合、スイッチ回路１０９はONされる。このとき、再生回路１０８からの出力信号Tは第２の位相反転回路１０５により位相が反転され、信号Ｔ’に変換される。また、マイク１０１には外部音信号Vに加えてその近傍にあるスピーカユニット１０２からの出力信号Tがノイズとして加算され、音声信号T+Vがマイク１０１から出力される。第２の位相反転回路１０５からの出力信号T’とマイク１０１からの出力信号T+Vが第２の合成回路１０６において合成され、外部音信号Vのみが録音回路１０７により録音される。
【００１３】
以上の構成により、本発明の実施の形態１は、ノイズキャンセル機能を再生時だけでなく録音時にも用いていることである。従来の方法では再生／録音を同時に行う場合、スピーカからの音楽がマイクからの出力に含まれてしまい、録音時のノイズとなってしまうといく課題があった。本発明では、録音時に位相反転回路を用いて再生音源を位相反転し、マイクからの出力音と合成するというノイズキャンセル機能を利用することによってスピーカからのノイズを低減し、また、スイッチ回路１つで再生／録音の切替を可能とし、録音時に音楽のON／OFFを行う必要がないという特徴を有する。
【００１４】
本発明の第２の特徴は録音用マイクとノイズキャンセル用マイクを共用していることである。従来の方法では、ノイズキャンセル機能と録音機能を１つの機種に搭載する場合、それぞれにマイクが必要であった。本発明では、録音用マイクとノイズキャンセル用マイクを１つで共用することによりマイクの数を減らし、コストを削減することが可能となる。
【００１５】
（実施の形態２）
次に、図１に示す録音再生装置の他の実施の形態について示す。図２は図１に示す録音再生装置の他の実施形態を示すブロック図である。
【００１６】
図１に示す録音再生装置と図２に示す録音再生装置とで異なる点は、録音／再生を切り換えるスイッチ回路１０９の制御手段としてマイコン１１０が付加された点である。マイコン１１０から出力される制御信号によって録音／再生の切替を自由に行うことができる。その他の点は図１に示す録音再生装置と同様である。
【産業上の利用可能性】
【００１７】
本発明にかかる、ノイズキャンセル機能を有する録音／再生装置は従来２つ必要であったマイクを１つに減らすことができるため、機器の省スペース化、小型化を図ることができる。また、録音時には音楽の再生をOFFすることなくスイッチ１つで素早く録音ON／OFFを切り換えることが可能であるため、ポータブルオーディオ等の付加機能として有用である。
【図面の簡単な説明】
【００１８】
【図１】実施の形態１における録音再生装置の回路構成図
【図２】実施の形態２における録音再生装置の回路構成図
【図３】従来の録音再生装置の構成図
【符号の説明】
【００１９】
１０１    マイク
１０２    スピーカユニット
１０３    第１の位相反転回路
１０４    第１の合成回路
１０５    第２の位相反転回路
１０６    第２の合成回路
１０７    録音回路
１０８    再生回路
１０９    スイッチ回路
１１０    マイコン
３０１    等価回路
３０２    除去回路
３０３    マイク
３０４    スピーカ
３０５    ミキシング回路
【図１】
2009253496.tif 000003
【図２】
2009253496.tif 000004
【図３】
2009253496.tif 000005